(57)【要約】【課題】営業開始前にデータ更新を必ず行うことができる販売情報登録処理システム、販売情報登録処理端末、及び販売情報登録プログラムを提供する。【解決手段】販売情報登録処理システムは、商品に関する情報の更新データを格納する更新ファイルを備え、商品に関する情報の更新予定日を更新データの送信に先立って送信するホストサーバと、商品に固有に割り当てられる商品コードごとに単価を格納する商品マスタと、一取引の内容を格納するトランザクションファイルと、商品マスタの更新予定日及び更新結果を格納する更新履歴ファイルと、情報を入出力する入出力部と、ホストサーバから更新予定日を受信した場合、入出力部に更新予定日及び更新がある旨の更新予告を表示する制御部と、を備える販売情報登録処理端末と、を備える。【選択図】図１
2015022329.tif 000002
【特許請求の範囲】
【請求項１】
商品に関する情報の更新データを格納する更新ファイルを備え、前記商品に関する情報の更新予定日を更新データの送信に先立って送信するホストサーバと、
前記商品に固有に割り当てられる商品コードごとに単価を格納する商品マスタと、一取引の内容を格納するトランザクションファイルと、前記商品マスタの前記更新予定日及び更新結果を格納する更新履歴ファイルと、情報を入出力する入出力部と、前記ホストサーバから前記更新予定日を受信した場合、前記入出力部に前記更新予定日及び更新がある旨の更新予告を表示する制御部と、を備える販売情報登録処理端末と、
を備える販売情報登録処理システム。
【請求項２】
前記制御部は、
開局指示が入力された場合、前記販売情報登録処理端末のクロックの日付と前記更新予定日とを比較し、前記クロックの日付が前記更新予定日以降であって、前記更新結果が更新されていない旨を示している場合、データ更新処理を促す警告を前記入出力部に表示し、データ更新処理が完了しない場合、開局を許可しない請求項１記載の販売情報登録処理システム。
【請求項３】
商品に固有に割り当てられる商品コードごとに単価を格納する商品マスタと、
一取引の内容を格納するトランザクションファイルと、
前記商品マスタの更新予定日及び更新結果を格納する更新履歴ファイルと、
情報を入出力する入出力部と、
前記商品に関する情報の更新データを格納する更新ファイルを備え、前記更新予定日を更新データの送信に先立って送信するホストサーバから前記更新予定日を受信した場合、前記入出力部に前記更新予定日及び更新がある旨の更新予告を表示する制御部と、
を備える販売情報登録処理端末。
【請求項４】
前記制御部は、
開局指示が入力された場合、前記販売情報登録処理端末のクロックの日付と前記更新予定日とを比較し、前記クロックの日付が前記更新予定日以降であって、前記更新結果が更新されていない旨を示している場合、データ更新処理を促す警告を前記入出力部に表示し、データ更新処理が完了しない場合、開局を許可しない請求項３記載の販売情報登録処理端末。
【請求項５】
商品に固有に割り当てられる商品コードごとに単価を格納する商品マスタと、一取引の内容を格納するトランザクションファイルと、前記商品マスタの更新予定日及び更新結果を格納する更新履歴ファイルと、情報を入出力する入出力部と、を備える販売情報登録処理端末を、
前記商品に関する情報の更新データを格納する更新ファイルを備え、前記更新予定日を更新データの送信に先立って送信するホストサーバから前記更新予定日を受信する受信手段と、
前記受信手段が前記更新予定日を受信した場合、前記入出力部に前記更新予定日及び更新がある旨の更新予告を表示する予告表示手段と、
として機能させるための販売情報登録プログラム。
【請求項６】
前記販売情報登録処理端末を、
開局指示が入力された場合、前記販売情報登録処理端末のクロックの日付と前記更新予定日とを比較し、前記クロックの日付が前記更新予定日以降であって、前記更新結果が更新されていない旨を示している場合、データ更新処理を促す警告を前記入出力部に表示し、データ更新処理が完了しない場合、開局を許可しない開局制御手段としてさらに機能させるための請求項５記載の販売情報登録プログラム。
【発明の詳細な説明】
【技術分野】
【０００１】
本発明の実施形態は、販売情報登録処理システム、販売情報登録処理端末、及び販売情報登録プログラムに関する。
【背景技術】
【０００２】
ＰＯＳ（Ｐｏｉｎｔ  Ｏｆ  Ｓａｌｅｓ）システムのような販売情報登録処理システムにおいては、商品に関する情報が不定期に更新される。例えば、飲食店に設置される販売情報登録処理システムにおいては、季節が変わるごとにメニューが変更される。
【０００３】
販売情報登録処理システムは、店舗に設置される販売情報登録処理端末と、販売情報登録処理端末に接続するホストサーバと、を備える。ホストサーバは、商品に関する情報を更新する際、更新データを販売情報登録処理端末に送信し、販売情報登録処理端末は受信した更新データを用いて商品マスタを更新する。
【０００４】
通常、商品に関する情報の更新は店舗が稼働していない時間帯、例えば夜間に行われる。従って、この時間帯に販売情報登録処理端末が立ち上がっている必要がある。そのため従来は、予め電話やＦＡＸなどによってデータの更新予定を事前に店舗の係員に通知しておき、夜間に販売情報登録処理端末の電源を切らないように指示をしておくという方法がとられていた。
【０００５】
しかし、店舗の係員は往々にしてデータ更新の予定を忘れ、販売情報登録処理端末を切って帰ってしまう。
【０００６】
このような場合、店舗が開店してから販売情報登録処理端末の商品に関する情報が更新されていないことに気づき、営業に支障が出ることがあった。
【０００７】
この点に関し、ホストサーバにて販売情報登録処理端末からデータ更新完了通知を受信することによって、データ更新が行われなかった販売情報登録処理端末を確認できるようにする技術が導入されている。
【０００８】
しかし、ホストサーバにてデータ更新の未完了を確認できるのはホストサーバのオペレータが出社した後であるため、店舗の営業開始にデータ更新が間に合わない場合もあった。
【先行技術文献】
【特許文献】
【０００９】
【特許文献１】特開２００４−３２６６６２号公報
【発明の概要】
【発明が解決しようとする課題】
【００１０】
従って、営業開始前にデータ更新を必ず行うことができる販売情報登録処理システム、販売情報登録処理端末、及び販売情報登録プログラムが求められている。
【課題を解決するための手段】
【００１１】
上記の課題を解決するために、本発明の一実施形態は、商品に関する情報の更新データを格納する更新ファイルを備え、商品に関する情報の更新予定日を更新データの送信に先立って送信するホストサーバと、商品に固有に割り当てられる商品コードごとに単価を格納する商品マスタと、一取引の内容を格納するトランザクションファイルと、商品マスタの更新予定日及び更新結果を格納する更新履歴ファイルと、情報を入出力する入出力部と、ホストサーバから更新予定日を受信した場合、入出力部に更新予定日及び更新がある旨の更新予告を表示する制御部と、を備える販売情報登録処理端末と、を備える販売情報登録処理システムを提供する。
【図面の簡単な説明】
【００１２】
【図１】販売情報登録処理システムの構成を示すブロック図である。
【図２】更新ファイル及び商品マスタのデータ構成を示す図である。
【図３】トランザクションファイルのデータ構成を示す図である。
【図４】更新履歴ファイルのデータ構成を示す図である。
【図５】更新予告の例を示す図である。
【図６】警告の例を示す図である。
【図７】販売情報登録処理システムの更新予告表示動作を示すフローチャートである。
【図８】販売情報登録処理端末の警告表示動作を示すフローチャートである。
【発明を実施するための形態】
【００１３】
以下、販売情報登録処理システム、販売情報登録処理端末、及び販売情報登録プログラムの一実施形態について、図面を用いて詳細に説明する。
【００１４】
本実施形態の販売情報登録処理システムは、商品に関する情報の更新データを格納する更新ファイルを備え、商品に関する情報の更新予定日を更新データの送信に先立って送信するホストサーバと、商品に固有に割り当てられる商品コードごとに単価を格納する商品マスタと、一取引の内容を格納するトランザクションファイルと、商品マスタの更新予定日及び更新結果を格納する更新履歴ファイルと、情報を入出力する入出力部と、ホストサーバから更新予定日を受信した場合、入出力部に更新予定日及び更新がある旨の更新予告を表示する制御部と、を備える販売情報登録処理端末と、を備える。
【００１５】
図１は、販売情報登録処理システムの構成を示すブロック図である。図１に示すように、登録処理システムは、ホストサーバ１と、販売情報登録処理端末（以下、ＰＯＳ端末という。）２と、を備える。
【００１６】
ホストサーバ１は、演算装置を含む制御部１０１と、ＲＯＭ、ＲＡＭ、及びハードディスクドライブなどの記憶装置を含む記憶部１０２と、通信を行う通信部１０３と、を備える。
【００１７】
記憶部１０２は、商品に関する情報の更新データを格納する更新ファイル１０２Ａを格納する。
【００１８】
記憶部１０２はさらに、ホストサーバ１において実行される販売情報登録プログラムを格納する。
【００１９】
ホストサーバ１は、販売情報登録プログラムを記憶部１０２から読み出して順次実行する。
【００２０】
ＰＯＳ端末２は、演算装置を含む制御部２０１と、ＲＯＭ、ＲＡＭ、及びハードディスクドライブなどの記憶装置を含む記憶部２０２と、タッチパネルなどの入出力装置を含む入出力部２０４と、通信を行う通信部２０３と、を備える。
【００２１】
記憶部２０２は、商品に固有に割り当てられる商品コードごとに商品の価格を格納する商品マスタ２０２Ａと、一取引の内容を格納するトランザクションファイル２０２Ｂと、商品マスタ２０２Ａの更新予定及び更新結果を格納する更新履歴ファイル２０２Ｃと、を格納する。
【００２２】
記憶部２０２はさらに、ＰＯＳ端末２において実行される販売情報登録プログラムを格納する。
【００２３】
ＰＯＳ端末２は、販売情報登録プログラムを記憶部２０２から読み出して順次実行する。
【００２４】
ＰＯＳ端末２は、通信部２０３及び通信部１０３を介してホストサーバ１と通信する。
【００２５】
図２は、更新ファイル１０２Ａ及び商品マスタ２０２Ａのデータ構成を示す図である。更新ファイル１０２Ａと商品マスタ２０２Ａのデータ構成は同じである。
【００２６】
図２に示すように、更新ファイル１０２Ａ及び商品マスタ２０２Ａは、商品であるメニューに固有に割り当てられる商品コードと、商品の名称を示す商品名と、商品の価格を示す単価と、を格納する。
【００２７】
各データの例は、商品コードが「４５００１２３６」、商品名が「Ａランチ」、単価が「１２００」である。
【００２８】
図３は、トランザクションファイル２０２Ｂのデータ構成を示す図である。図３に示すように、トランザクションファイル２０２Ｂは、顧客に固有に割り当てられる識別子であるテーブル番号と、商品コードと、単価と、商品の数量を示す数量と、を格納する。
【００２９】
各データの例は、テーブル番号が「１４」、商品コードが「４５００１２３６」、単価が「１２００」、数量が「２」である。
【００３０】
図４は、更新履歴ファイル２０２Ｃのデータ構成を示す図である。図４に示すように、更新履歴ファイル２０２Ｃは、データ更新の予定日を示す更新予定日と、更新結果を示す更新済みフラグと、を格納する。
【００３１】
各データの例は、更新予定日が「２０１３０４０１」、更新済みフラグが「ＯＦＦ」である。
【００３２】
通常稼働時には、ＰＯＳ端末２は、入出力部２０４からテーブル番号と、商品又は商品に対応する商品コードと、数量と、を入力する。
【００３３】
ＰＯＳ端末２は商品コードに基づいて商品マスタ２０２Ａを検索し、商品名と単価を読み出す。
【００３４】
ＰＯＳ端末２は小計ボタンが押下されると一取引内の小計を計算する。ＰＯＳ端末２は入出力部から預り金を入力し、つり銭を計算して一取引を終了させる。
【００３５】
図５は、更新予告４０１の例を示す図である。図５に示すように、更新予告４０１は、更新予告日と、電源を落とさないようにする旨の指示と、含む。また、更新予告４０１は確認ボタン４０２を含んでいてもよい。
【００３６】
更新予告４０１は、入出力部２０４に表示される。
【００３７】
図６は、警告５０１の例を示す図である。図６に示すように、警告５０１は、データが更新されていないため開局できない旨の表示と、データ更新を促す指示と、を含む。また、警告５０１は確認ボタン５０２を含んでいてもよい。
【００３８】
ここで、開局とはＰＯＳ端末２のデータ処理に用いる日付を確定し、会計処理を可能にする処理を言う。
【００３９】
図７は、販売情報登録処理システムの更新予告表示動作を示すフローチャートである。図７に示すように、ステップ７０１において、ホストサーバ１はＰＯＳ端末２にデータ更新の予告を更新予定日とともに送信する。
【００４０】
ステップ７０２において、ＰＯＳ端末２は、データ更新予告を受信する。
【００４１】
ステップ７０３において、ＰＯＳ端末２は、受信したデータ更新予定を格納するとともに、更新済みフラグに「ＯＦＦ」を設定する。
【００４２】
ステップ７０４において、ＰＯＳ端末２は更新予告４０１を入出力部２０４に表示する。ＰＯＳ端末２は、確認ボタン４０２が押下されたと判定した場合、通常処理に戻る。
【００４３】
なお、ＰＯＳ端末２は、記録媒体に画像を形成するプリンタをさらに備え、更新予告４０１をプリンタによって記録媒体に画像形成して出力してもよい。
【００４４】
データ更新予定日の店舗稼働時間外に、ホストサーバ１は更新データをＰＯＳ端末２に送信する。
【００４５】
ＰＯＳ端末２は、更新データを受信すると、記憶部２０２に受信した更新データを格納し、この更新データをもとに商品マスタ２０２Ａを更新する。
【００４６】
ＰＯＳ端末２は、更新後、更新済みフラグを「ＯＮ」に設定する。
【００４７】
図８は、ＰＯＳ端末２の警告表示動作を示すフローチャートである。図８に示すように、ステップ８０１において、ＰＯＳ端末２は入出力部２０４から開局指示を入力する。
【００４８】
ステップ８０２において、ＰＯＳ端末２は、クロックの日付と更新予定日とを比較し、クロックの日付が更新予定日以降である場合、更新済みフラグを読み出す。ＰＯＳ端末２は、更新済みフラグが「ＯＮ」であるかを判定し、「ＯＮ」であると判定した場合ステップ８０３に進み、「ＯＮ」でないと判定した場合、ステップ８０４に進む。
【００４９】
ステップ８０３において、ＰＯＳ端末２は、開局処理を実行し、更新済みフラグが「ＯＮ」である更新履歴ファイルのデータを削除する。
【００５０】
ステップ８０４において、ＰＯＳ端末２は入出力部２０４に警告５０１を表示する。ＰＯＳ端末２は、ついで確認ボタン５０２が押下された場合、ステップ８０５に進む。
【００５１】
ステップ８０５において、ＰＯＳ端末２は、ホストサーバ１に更新データの送信を要求し、ホストサーバ１から更新データを受信してデータ更新する旨のデータプル指示があるかを判定する。ＰＯＳ端末２は、データプル指示があると判定した場合、ステップ８０６に進み、データプル指示があると判定しなかった場合、ステップ８０４に戻る。
【００５２】
ステップ８０６において、ＰＯＳ端末２は、ホストサーバ１に更新データの送信を要求し、ホストサーバ１から更新データを受信する。
【００５３】
ステップ８０７において、ＰＯＳ端末２は受信した更新データによって商品マスタ２０２Ａを更新し、ステップ８０３に進む。
【００５４】
以上述べたように、本実施形態の販売情報登録処理システムは、商品に関する情報の更新データを格納する更新ファイル１０２Ａを備え、商品に関する情報の更新予定日を更新データの送信に先立って送信するホストサーバ１と、商品に固有に割り当てられる商品コードごとに単価を格納する商品マスタ２０２Ａと、一取引の内容を格納するトランザクションファイル２０２Ｂと、商品マスタ２０２Ａの更新予定日及び更新結果を格納する更新履歴ファイル２０２Ｃと、情報を入出力する入出力部２０４と、更新予定日を受信した場合、入出力部に更新予定日及び更新がある旨の更新予告４０１を表示する制御部２０１と、を備える販売情報登録処理端末と、を備える。
【００５５】
そして、制御部２０１は、開局指示が入力された場合、クロックの日付と更新予定日とを比較し、クロックの日付が更新予定日以降であって、更新結果が更新されていない旨を示している場合、データ更新処理を促す警告を入出力部２０４に表示し、データ更新処理が完了しない場合、開局を許可しない。
【００５６】
従って、営業開始前にデータ更新を必ず行うことができるという効果がある。
【００５７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１：ホストサーバ
２：ＰＯＳ端末
１０１Ａ：更新ファイル
２０２Ａ：商品マスタ
２０２Ｂ：トランザクションファイル
２０２Ｃ：更新履歴ファイル
４０１：更新予告
５０１：警告
【図１】
2015022329.tif 000003
【図２】
2015022329.tif 000004
【図３】
2015022329.tif 000005
【図４】
2015022329.tif 000006
【図５】
2015022329.tif 000007
【図６】
2015022329.tif 000008
【図７】
2015022329.tif 000009
【図８】
2015022329.tif 000010